Podtech/llm-jp-corpus-v4-ja_patent huggingface dataset:
(57)【要約】      （修正有）【課題】ビットをずらしてアクセスするとＣＰＵ内部で一々データをずらさねばならずＣＰＵの負荷が多大になっていたことを解決することを目的とする。【解決手段】ＣＰＵがアドレスデータバスにアドレスを出力中、Ａ１５をＡ０としてつなぎ、ＣＰＵがデータを読むときはＡ０のかわりにＡ１５を用いる。ソフトはベタプログラムで読み込む事で処理を高速化する。【選択図】    図１
2004157652.tif 000002
【特許請求の範囲】
【請求項１】
バス幅の異なるマルチプレクスバスのＣＰＵとマルチプレクスバス構成の周辺回路とのバス接続に於いて
ＣＰＵがアドレスを出力している時にアドレスの出力されないビットに対して上位のアドレスの出力されているデータを周辺回路に出力しその他の時には通常のデータバスとして動作させるインターフェース回路。
【請求項２】
バス幅の異なるマルチプレクスバスのＣＰＵとマルチプレクスバス構成の周辺回路とのバス接続に於いて
アドレスの出力されないバスの中間に抵抗を挿入し上位のアドレスの出力されているバスのデータをダイオードで周辺回路側に入力させ動作させるインターフェース回路。
【発明の詳細な説明】
【０００１】
【発明の属する技術分野】
本発明はマルチプレクスバス構成の１ＣＨＩＰ−ＣＰＵと同じくマルチプレクスバス構成の周辺回路とのインターフェース回路に関する。
【０００２】
【従来の技術】
１６ｂｉｔのマルチプレクスバス構成の１ＣＨＩＰ−ＣＰＵと８ｂｉｔ幅のマルチプレクスバスの周辺回路、ここではＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）とするをつなごうとすると、ＣＰＵがワードアクセスしか出来ない時、アドレスはバイト単位にマッピングされているので、常にアクセスはワード単位になり、アドレス０即ちＡ０は常に０になるのでＡ０は存在しない事になる。しかしながらＡＳＩＣはＡ０が必要となるので図３の如くビットをずらしてアクセスしていた（例えば、特許文献１参照）。
図３は従来のインターフェース回路１３ではＣＰＵ、２３はＡＳＩＣである。
【０００３】
【特許文献１】特開平９−２７４６０２号公報（第２―３頁、第１図）
【０００４】
【発明が解決しようとする課題】
ビットをずらしてアクセスするとＣＰＵ１３内部で一々データをずらさねばならずＣＰＵ１３の負荷が多大になっていた。
【０００５】
【課題を解決するための手段】
Ａ１５をＡ０としてソフトはベタプログラムで読み込む事で処理を高速化する。
【０００６】
【発明の実施の形態】
図１は本発明の実施例を示すインターフェース回路である。１１はＣＰＵ、２１はＡＳＩＣである。具体的には、本発明の請求項１記載の回路で有るＣＰＵがアドレスデータバスにアドレスを出力中、即ちＡＬＥ信号がＨになっている時にＡＤ１５をＡＳＩＣ２１のＡＤ０へ入力し、その他の時はＣＰＵ１１のＤ０とＡＳＩＣ２１のＡＤ０とをつなぐ物である。ＣＰＵ１１がＡＳＩＣ２１のデータを読むときは００００Ｈの次は８０００Ｈ、０００２Ｈ、８００２ＨとＡ０の代わりにＡ１５を用いる。図２は本発明の第２の実施例を示すインターフェース回路で請求項２記載の回路に該当するものである。具体的には、１２はＣＰＵ、２２はＡＳＩＣである。Ａ１５はＨで有る条件だけが必要で有るのでＡ１５＝Ｈの条件をダイオードでＡＤ０へ回し、ＣＰＵの出力による干渉防止の為に抵抗を挿入する事でＡ１５の状態がＡＤＯへ入力される。
【０００７】
【発明の効果】
僅かな部品の追加でソフトの処理を減ずる事が出来る。
【図面の簡単な説明】
【図１】本発明の第１実施例を示すインターフェース回路図である。
【図２】本発明の第２実施例を示すインターフェース回路図である。
【図３】従来のインターフェース回路図である。
【符号の説明】
１１、１２  ＣＰＵ
２１、２２  ＡＳＩＣ
【図１】
2004157652.tif 000003
【図２】
2004157652.tif 000004
【図３】
2004157652.tif 000005
(57)【要約】【課題】他店との価格競争やテレビコマーシャルの販売促進では差別化が出来なかった。更に価格競争やテレビコマーシャルではユーザーの囲い込みも難しく定期的に集客も見込めなかった。【解決手段】従来の販売促進とは違い他店では手に入らない携帯電話用コンテンツを店頭配布する事によって他店との差別化が出来る。ネットワーク型で他の携帯電話と通信する事が出来、ユーザーの口コミで広める事が出来囲い込みが出来る。更に定期的に店頭でバージョンアップを行い現状のユーザーを何度も集客する事が出来る。従来のように販売商品の値下げ等の利益減少が無くユーザーの囲い込みが出来るので持続的な効果が見込める。【選択図】なし【特許請求の範囲】
【請求項１】
他が真似出来ない持続的に販売促進可能な携帯電話用コンテンツ
【発明の詳細な説明】
【０００１】
【発明の属する技術分野】本発明は持続的に販売促進が可能な携帯電話用コンテンツ
【０００２】
【従来の技術】他店との価格競争やテレビコマーシャル。
【０００３】
【発明が解決しようとする課題】従来の販売促進では他店が真似できる。
【０００４】
【課題を解決するための手段】他店が真似できない持続的に販売促進可能な携帯電話用コンテンツを用意する。
【０００５】
【発明の実施の形態】他のお店では手に入らない携帯電話用コンテンツを用意する。他の携帯電話と通信出来るネットワーク型コンテンツにする事によって口コミで広める事が出来、ユーザーの囲い込みが出来る。更に定期的に店頭でバージョンアップを行い現状のユーザーを何度も集客出来る。
【０００６】
【発明の効果】従来の販売促進とは違い他店では手に入らない携帯電話用コンテンツを店頭で配布する事によって他店との差別化が出来る。ネットワーク型で他の携帯電話と通信する事が出来ユーザーの口コミで広める事が出来る。よってユーザーの囲い込みが出来ます。定期的に店頭でバージョンアップを行い現状のユーザーを何度も集客する事が出来、従来のように販売商品の値下げ等の利益減少が無くユーザーの囲込みが出来るので持続的な効果が見込める。
(57)【要約】【課題】高級ブランド品は、高価であるがためにコピー製品が後を断たず購入しようとする者が不安である。また各家庭への不法侵入により高価であるために盗難に遭遇し易くなっている。それらの問題を解決するが重要になっている。【解決手段】バッグ、時計、ジュエリー等の製品と保証書等に出荷時に認証マークを打ち込んでおく。製品の販売時には、製品と保証書に刻印されている認証マークをコードリーダーにより読み込み、読み込んだデーターをオンラインで製造元へ転送し、認証を得られる事によって、コピー製品か本物の製品かを明らかにする事が可能になる。また自分の持つ高価な製品が盗難に合った場合、その製品の認証マークが刻印せれている保証書が残っている場合に限って認証マークのデーターを製造元へ送っておく。盗難品が発見された場合、確認データーが製造元へ送られている事により持ち主の認証が簡単になる。【選択図】  図１
2004157953.tif 000002
【特許請求の範囲】
【請求項１】
バッグ、時計、ジュエリー等の製品には必ず保証書（検証マーク付き確認札）を付けて販売し、その製品と保証書にオンラインで検索の出来るマーク（バーコード、２Ｄマーク、自紋等）を付けて製造メーカーに確認をとれる認証システム
【請求項２】
盗難された持ち主は、オンラインで製造メーカーに盗難を届でる。警察等が盗まれた物品を没収した場合、製品をオンラインで検索することによって持ち主を確定できる認証システム
【発明の詳細な説明】
【０００１】
【発明の属する技術分野】
本発明は、高級ブランド品に関しての盗難、コピー製造を防止する製品管理認証ビジネスモデル。
【０００２】
【従来の技術】
世界に有名なブランド品のバッグ、時計、ジュエリー等は簡単にコピー製造されたり盗難に逢いやすく、購入した側の大きな損失が発生している。また、警察が盗難品を没収しても持ち主の確定が出来ない状況にある。
【０００３】
【発明が解決しようとする課題】
ブランド品のバッグ、時計、ジュエリー等は高価であるためにコピー製造品が反乱している状態にある。購入者は、コピー製造品か本物であるか判別が困難で有るがためにコピー製造品を買わされて被害に遭うケースが多発している。
また、ブランドバック、時計、ジュエリー等で盗難を受けた場合、警察等が製品を没収出来たとしても持ち主の確定が出来ないために持ち主へ返すことが出来ないで居る。
【０００４】
【課題を解決する手段】
今回の発明は、消費者を守るためのシステムである。
高級ブランド品は高価であるがためにコピー製造品が市場に出回っている現状である。これを防ぐために製品と保証書に製造メーカーが認証マークを打ち込み、その認証マークをコンピュータへデータ入力しておく。販売店で売られる製品は、製品と保証書に付けられた認証マークをコードリーダーで読み取り、オンラインで製造メーカに有るコンピュータで認証確認を行うことによりコピー製造品と本物を判別することが可能となる。また、製品の購入者が製品の盗難に有った場合、保管して有る保証書に示されている認証マークをオンラインで製造メーカーにあるコンピュータへ盗難であることを入力する。これにより盗難を受けた製品が発見された場合、製品に付いている認証マークを製造メーカーに問い合わせれば持ち主をいち早く確定できることになる。
【０００５】
【発明の実施の形態】
製造メーカでできあがった全ての製品１及び保証書２に両方同じの認証マーク３を打ち込む。そしてこの認証マーク３をコードリーダー４で読み取り認証マークデータをコンピュータに取り込み保存する。
製品の販売店は、売る製品１に付けられた認証マーク３をコードリーダ４で読み取り製造メーカのコンピュータ５にオンラインでデータ情報を転送し、製品の認証が確立される。
これにより消費者は、製品がコピー製造品でないことを確認した上で購入する事が出来る。
【０００６】
【発明の効果】
以上に示した製品認証システムを用いることによって、製造メーカからのコピー製品ではないとの確証を得ることが出来るので、安心した高級ブランド品の購入が出来る。
【図面の簡単な説明】
【図１】製品の認証システム
【符号の説明】
１．製品
２．保証書
３．認証マーク
４．コードリーダー
５．コンピュータ
【図１】
2004157953.tif 000003
(57)【要約】【課題】アンケートを取る際、アンケート回答者はアンケート結果を見ることと引き換えに料金を支払うエンターテイメント用アンケートシステムを提供する。【解決手段】アンケートを取る際、アンケート回答者は質問内容を確認し、知りたい情報にのみ回答し、アンケート結果を見ることと引き換えに料金を支払うエンターテイメント用アンケートシステムを特徴とする。【選択図】図３
2004157951.tif 000002
【特許請求の範囲】
【請求項１】
アンケートを取る際、アンケート回答者はアンケートに答え、そのアンケート結果を見ることと引き換えに料金を支払うエンターテイメント用アンケートシステム。
【請求項２】
アンケートを取る際、アンケート回答者はアンケートに答えない場合でも結果を見るために料金を支払うエンターテイメント用アンケートシステム。
【発明の詳細な説明】
【０００１】
【発明の属する技術分野】
この発明はアンケートによって市場調査を行うシステムに関するものである。
【０００２】
【従来の技術】
市場調査等のアンケートは、企業が必要とする特定の情報を集めるため、街頭や店内において協力を呼びかけたり、インターネットのサービスを利用してアンケートに答えてもらうなどして行われていた。
【０００３】
【発明が解決しようとする課題】
これは、次のような欠点があった。
アンケート回答者は興味のないアンケートに時間を割いて答えなけばならなかった。
本発明は以上のような欠点をなくすためになされたものである。
【０００４】
【課題を解決するための手段】
従来のアンケートシステムとは逆の発想で、アンケート回答者はその質問のアンケート結果を知りたいときのみ回答し、アンケート回収者はその情報を提供する。
本発明は、以上のことよりアンケート回答者の要求を満たすために発明されたエンターテイメント用アンケートシステムである。
【０００５】
【発明の実施の形態】
以下、本発明の実施の形態について説明する。
インターネットに接続可能な携帯電話から閲覧できるホームページを作成し、ホームページ上にてアンケートを実施する。
アンケート回答者は質問内容を確認し、知りたい情報にのみ回答し、料金を払うことと引き換えにアンケート結果を得る。
このとき、アンケートに回答しないで結果のみ知りたい場合でも、同様に料金を払うことと引き換えにアンケート結果を得る。
【０００６】
【発明の効果】
アンケート回答者は知りたい情報のみを得ることができるようになる。
【図面の簡単な説明】
【図１】従来のアンケートシステムの情報の流れを示したブロック図である。
【図２】本発明のエンターテイメント用アンケートシステムの情報の流れを示したブロック図である。
【図３】本発明のエンターテイメント用アンケートシステムを利用したユーザーの動作を示したフローチャート図である。
【符号の説明】
６，１４，１５，１６…アンケートを集計した後の結果
７，８，９，１７，１８，１９…各個人の回答結果
【図１】
2004157951.tif 000003
【図２】
2004157951.tif 000004
【図３】
2004157951.tif 000005
(57)【要約】【課題】従来，太陽エネルギーの熱利用では，集めた熱を温水または蒸気に変換して輸送している．そのため，熱交換機や配管等の設備を必要とし，熱効率の低下や経済コストがかかる等の問題点を有している．【解決手段】光ファイバを用いて集光された太陽光のエネルギーを伝送し，直接加熱部に放射し加熱する．【選択図】図１
2004157239.tif 000002
【特許請求の範囲】
【請求項１】
集光された太陽光の持つエネルギーを光ファイバを用いて輸送し，熱駆動ヒートポンプまたはボイラあるいは炉の加熱部を加熱する方式
【請求項２】
集光された太陽光の持つエネルギーを光ファイバを用いて輸送し，暖房の用に供する方式
【請求項３】
集光された太陽光の持つエネルギーを光ファイバを用いて輸送し，化学反応のための加熱に供する方式
【発明の詳細な説明】
【０００１】
【発明の属する技術分野】
本発明は太陽エネルギーの輸送方法に関する．
【０００２】
【従来の技術】
従来の太陽エネルギー利用では，その熱輸送において，太陽熱によって製造した温水あるいは蒸気を配管により輸送している．太陽熱を利用した冷暖房装置においては，その温水または蒸気を冷凍機の再生器あるいは暖房用ヒータに供給する方式をとっている．
【０００３】
【特許文献１】
特開平１１−２３２９１５号公報
【特許文献２】
特開２００１−３０５４７３号公報
【非特許文献１】
新太陽エネルギー利用ハンドブック編集委員会，「新太陽エネルギー利用ハンドブック」，（日本），日本太陽エネルギー学会，１９８５年，ｐ．７５６−７６９
【非特許文献２】
ダニエル・フォイアマン（Ｄａｎｉｅｌ  Ｆｅｕｅｒｍａｎｎ）外１名，「ソーラー・サージェイ・リモート・ファイバー・オプティック・イレィディエィション・ウィズ・ハイリィ・コンセントレィテッド・サンライト・イン・ルー・オブ・レーザーズ（Ｓｏｌａｒ  ｓｕｒｇｅｒｙ：  ｒｅｍｏｔｅ  ｆｉｂｅｒ−ｏｐｔｉｃ  ｉｒｒａｄｉａｔｉｏｎ  ｗｉｔｈ  ｈｉｇｈｌｙ  ｃｏｎｃｅｎｔｒａｔｅｄ  ｓｕｎｌｉｇｈｔ  ｉｎ  ｌｉｅｕ  ｏｆ  ｌａｓｅｒｓ）」，オプティカル・エンジニアリング（Ｏｐｔｉｃａｌ  Ｅｎｇｉｎｅｅｒｉｎｇ），米国，ズィ・インターナショナル・ソサイアティ・フォー・オプティカル・エンジニアズ（Ｔｈｅ  Ｉｎｔｅｒｎａｔｉｏｎａｌ  Ｓｏｃｉｅｔｙ  ｆｏｒ  Ｏｐｔｉｃａｌ  Ｅｎｇｉｎｅｅｒｓ），１９９８年，第３７号，ｐ．２７６０−２７６７
【０００４】
【発明が解決しようとする課題】
これまで，太陽エネルギーを熱的に利用する場合には，太陽熱を集熱し，温水あるいは蒸気を製造し，輸送・供給していた．そのため，配管を設備する必要があるとともに，配管等から熱が損失することが避けられない．また，熱交換を複数回行うため，最終的に供給できる温度が集熱された温度よりも低下する．さらに，熱交換機や配管等の設備に経済的コストがかかり，太陽熱エネルギー利用の普及促進上の問題点となってきた．
【０００５】
【課題を解決するための手段】
本発明は集光した太陽光を光ファイバに導入し，伝送した後，光ファイバのもう一方の端より光を照射する．太陽光のエネルギーは光の状態で伝送されるため，熱配管に見られるような輸送途中における熱的な損失を発生しない．また，太陽光のエネルギーを水などの熱媒に熱交換せず，直接輸送するため，熱交換に伴う損失を発生しない．熱交換機，配管を必要としないことから，距離の離れた集光部から熱利用装置までの設備が小さくてすむ．また，ファイバの取りつけ，取り回しが容易であるため，設備しやすい．
【０００６】
【発明の実施の形態】
図１は本発明による吸収冷凍機の再生器加熱の一実施例を示したものである．伝熱板３の上に薄く吸収溶液４を流す．凸型レンズ２により集光された太陽光は光ファイバ１に導入・伝送され，伝熱板３に放射され，伝熱板３を加熱する．伝熱板３から熱が伝わることにより溶液４が加熱される．
【０００７】
図２は本発明による暖房の一実施例を示したものである．凸型レンズ２により集光された太陽光は光ファイバ１に導入・伝送され，伝熱板３に放射され，伝熱板３を加熱する．伝熱板３から輻射および対流によって熱エネルギーが伝わることにより暖房する．
【０００８】
【発明の効果】
本発明の効果を以下に列挙する．
【０００９】
（１）  装置あるいは設備が簡略化できる．
【００１０】
（２）  太陽エネルギーを有効利用することができる．
【図面の簡単な説明】
【図１】吸収冷凍機における本発明の一実施例の概略図
【図２】暖房装置における本発明の一実施例の概略図
【符号の説明】
１  光ファイバ
２  凸型レンズ
３  伝熱板
４  吸収溶液
【図１】
2004157239.tif 000003
【図２】
2004157239.tif 000004
(57)【要約】【課題】物理的処理によって接着効果を高めた光ファイバーのフェルールへの固定構造を提供する。【解決手段】本発明の光ファイバーのフェルールへの固定構造は、光ファイバーの芯線１０の周面に線状部材３０を巻き付けて圧着させた状態で、芯線１０をフェルール２０の芯線収容孔２１に収容させ、フェルールの芯線収容孔と芯線との間に介在させた接着剤４０によって、フェルールと芯線とを固着させたことを特徴としている。【選択図】        図２
2004157325.tif 000002
【特許請求の範囲】
【請求項１】
光ファイバーの芯線の周面に線状部材を巻き付けて芯線をフェルールの芯線収容孔に収容させ、その状態で前記フェルールの芯線収容孔と前記芯線との間に接着剤を介在させて、前記フェルールと前記芯線とを固着させたことを特徴とする光ファイバーのフェルールへの固定構造。
【請求項２】
前記線状部材は、金属線であることを特徴とする請求項１に記載の光ファイバーのフェルールへの固定構造。
【請求項３】
前記線状部材は、コイルスプリングであることを特徴とする請求項１または２に記載の光ファイバーのフェルールへの固定構造。
【発明の詳細な説明】
【０００１】
【発明の属する技術分野】
本発明は、光ファイバーのフェルールへの固定構造に関する。
【０００２】
【従来の技術】
従来の光ファイバーのフェルールへの固定方法には、フェルールの芯線収容孔と光ファイバーの芯線との間に接着剤を介在させてフェルールと芯線とを固定する方法がある。
温度変化が大きい等の環境の厳しい条件下で使用される光ハーネスの場合には、フェルール、芯線の被覆層および接着剤の線膨張係数の違い、接着剤の変質等によって特に接着剤と芯線の被覆層との間の結合力が低下し、フェルールから芯線が抜け出る（ピストンニング）虞がある。特に、ＰＶＣ樹脂製の被覆層の表面は軟質、かつ平滑であるため、接着強度は弱い。
そこで、芯線の被覆層の組成を変える、即ち化学的処理によって上記問題を解決した技術が提供されている（例えば、特許文献１）。
【０００３】
【特許文献１】
特開平９−９０１６３号公報
【０００４】
【発明が解決しようとする課題】
本発明は、上述したように芯線の被覆層の組成を変える、即ち化学的処理によってではなく、物理的処理によって接着効果を高めた光ファイバーのフェルールへの固定構造を提供することを目的としている。
【０００５】
【課題を解決するための手段】
上記課題を解決するために本発明の光ファイバーのフェルールへの固定構造では、光ファイバーの芯線の周面に線状部材を巻き付けて圧着させた状態で、芯線をフェルールの芯線収容孔に収容させ、前記フェルールの芯線収容孔と前記芯線との間に介在させた接着剤によって、前記フェルールと前記芯線とを固着させたことを特徴としている。
【０００６】
前記構成の光ファイバーのフェルールへの固定構造によれば、線状部材が芯線に食い込み、それによって物理的（力学的）に結合される。また、線状部材によって芯線の表面には凹凸面が形成され、接着剤との接触面積が多くなり、芯線と接着剤との結合がより強くなる。
【０００７】
また、本発明の光ファイバーのフェルールへの固定構造において、線状部材の材質は問わないが、接着剤との相性を考慮すると、金属製の線材が好ましく、内径が芯線よりも小さいコイルスプリング等の収縮力（圧着力）を有するものがより好ましい。
【０００８】
接着剤の塗布は、フェルールの芯線挿入孔に注入してもよく、線状部材を巻回した状態の芯線に塗布してもよい。
【０００９】
【発明の実施の形態】
以下、本発明の光ファイバーのフェルールへの固定構造の一実施形態を図面に基づいて説明する。図１は本発明に係る光ファイバーのフェルールへの固定構造で適用される要素であるフェルール、線状部材、芯線を概念的に示した斜視図であり、図２はそれらの要素を組付けた状態を示した断面図であり、図３はそれらの要素の固定状態を示した要部断面図である。
【００１０】
芯線１０は、ＨＰＣＦ（ハードポリマークラッドファイバ）１１に１次被覆層１２および２次被覆層１３を施した光ファイバが使用される。そして、この芯線１０の先端部は、２次被覆層１３が剥がされ、さらに１次被覆層１２が剥がされて、ＨＰＣＦ１１が露出されている。
【００１１】
フェルール２０は、合成樹脂によって形成されている。このフェルール２０には、図２に示したように、内径の大きな芯線収容孔２１と該孔の先端に内径の小さなＨＰＣＦ挿入孔２２と、それらの間に位置する中径の１次被覆層収容孔２３が形成されている。
【００１２】
線状部材３０は、金属製コイルスプリングによって形成され、内径が芯線１０の被覆層１２の外径よりも小さく、外径がフェルール２０の芯線収容孔２１の内径よりも小さく形成されている。
【００１３】
そして、芯線１０は、以下のようにしてフェルール２０に固定される。
先ず、線状部材３０を芯線１０の被覆層２の外周面に巻回装着させる。一方、フェルール２０の芯線収容孔２１に接着剤４０を注入する。そして、線状部材３０が巻回された芯線１０をフェルール２０の芯線収容孔２１に挿入する。
【００１４】
このようにして結合されたフェルール組立体は、図３に示したように、線状部材３０が芯線１０に食い込み、それによって線状部材３０と芯線１０が物理的（力学的）に結合される。
また、線状部材３０によって芯線１０の表面には凹凸面が形成され、芯線１０（線状部材３０を含む）と接着剤４０との接触面積が多くなり、フェルール２０と芯線１０とがより強固に結合される。
【００１５】
【発明の効果】
以上説明したように本発明の光ファイバーのフェルールへの固定構造によれば、線状部材が芯線に食い込み、線状部材と芯線とが物理的（力学的）に結合され、線状部材によって芯線の表面には凹凸面が形成されるので、接着剤との接触面積が多くなり、フェルールと芯線とがより強固に結合される。
また、線状部材を金属製線材によって形成した場合には、金属と接着剤との相性がよいので、芯線と接着剤との結合がより強固になる。
また、線状部材をコイルスプリングによって形成した場合には、どの弾性力によって線状部材が被覆層に食い込むので、線状部材と芯線との結合がより強固になり、かつ安定した結合力が得られる。
【図面の簡単な説明】
【図１】本発明に係る光ファイバーのフェルールへの固定構造で適用される要素であるフェルール、線状部材および芯線を概念的に示した斜視図である。
【図２】図１に示した要素を組付けた状態を示した断面図である。
【図３】図２に示した要素の固定状態を示した要部断面図である。
【符号の説明】
１０      芯線
１１      ＨＰＣＦ
１２      １次被覆層
１３      ２次被覆層
２０      フェルール
２１      芯線収容孔
２２      ＨＰＣＦ収容孔
２３      １次被覆層収容孔
３０      線状部材
４０      接着剤
【図１】
2004157325.tif 000003
【図２】
2004157325.tif 000004
【図３】
2004157325.tif 000005
(57)【要約】【課題】長尺状の糸体の張力を浮遊塵や浮遊オイルミストがあってもその影響を受けることなく、当該張力の合力を検出用接触子、ゲル素材を介して圧力センサーに伝播せしめて当該微小張力を高感度で計測する。【解決手段】長尺状の糸体１を検出用接触子２にその張力の合力を同接触子に接するゲル素材３の方向に作用せしめ、同素材を介して同素材に発生する圧力が前述合力に比例して圧力センサー４に伝播するよう互いに結合し、ゲル素材、圧力センサーを保持材５により保持させ、圧力センサーにより当該張力の合力に比例する圧力を電気信号に変換し、同電気信号を演算処理して当該張力を得て表示器に表示する。【選択図】  図１
2004157070.tif 000002
【特許請求の範囲】
【請求項１】
長尺状の糸体が接触する凸状であり滑らかな曲線状の検出用接触子と、この検出用接触子の糸体の接する反対の面に接して配されるゲル素材と、ゲル素材の検出用接触子の接する反対面に接して配され、ゲル素材の接する反対面で圧力センサーの検出部がゲル素材に覆われるように配される圧力センサーからなる張力センサー。
【発明の詳細な説明】
【０００１】
【発明の属する技術分野】
本発明は長尺状の糸体の張力を計測する張力センサーの構造に関する。
【０００２】
【従来の技術】
従来の張力センサーにおいては、張力を電気信号に変換するにロードセルを用いている。
【０００３】
【発明が解決しようとする課題】
従来のロードセルによる張力センサーにおいてはその製作過程で弾性体の微細加工、歪ゲージの貼り付け、同貼り付け後の配線、浮遊塵、浮遊オイルミスト等からの防護など多様な工数を必要としその製作コストは高価となっていた。
【０００４】
本発明の張力センサーは簡単な工程により少工数、低価格で製作でき、耐浮遊塵、耐浮遊オイルミスト性を得られ、ヒステリシスや不感帯のない、直線性の良い微小張力の測定を提供することを目的とする。
【０００５】
【課題を解決するための手段】
上記目的を達成するために、本発明の張力センサーにおいては圧力センサーと検出用接触子の間にゲル素材をはさんで配し互いを結合し、圧力センサーのゲル素材結合面はゲル素材に覆われるように配し、ゲル素材の圧力センサーの接する面の圧力センサーの接しない面と圧力センサーの同様面の非検出部は保持材に結合し、全体を保持せしめ、結合面を除くゲル素材の他の面、結合部を除く圧力センサーの面は開放し、検出用接触子の糸体と接する部分は凸状の滑らかな曲線状とした。
【０００６】
【発明の実施の形態】
図１において長尺状の糸体１を凸状で滑らかな曲線状の検出用接触子２に接触せしめ、糸体１の張力の合力を検出用接触子２に伝える。検出用接触子２の糸体１に接する反対面に接してゲル素材３を配し、先の張力の合力を圧力として伝播せしめる。ゲル素材３の検出用接触子２の接する反対面のゲル素材３の面より小なる面で圧力センサー４を接触せしめ、残る同面と圧力センサー４のゲル素材３と接する半対面の非検出部を保持材５に接して設置し保持する。同面検出部は大気に開放する。ゲル素材３の他の部材と接触しない面は大気に開放される。圧力センサー４により当該圧力が電気信号に変換され、演算処理回路６により増幅、演算され糸体の張力に換算されて表示器７により表示される。
【０００７】
【発明の効果】
本発明は上記のように構成されているので、以下の記載される効果を奏する。
【０００８】
圧力センサーにより電気信号への変換は微小な張力を安定に計測するに必要な能率をローコストで得られる。
【０００９】
結合面を除く面を開放したゲル素材の採用は能率的にヒステリシスや不感帯のない微小な力、圧力変換と圧力の伝達を得られる。
【００１０】
圧力センサーのゲル素材との結合面はゲル素材により封止されるので浮遊塵や浮遊オイルミストから保護され、対策を必要としない、また圧力センサーのゲル素材との結合面の反対面は大気に開放されるがこの面は糸体の反対側になり、前記対策を容易にできる。
【図面の簡単な説明】
【図１】張力センサーの断面図である。
【符号の説明】
１  糸体
２  検出用接触子
３  ゲル素材
４  圧力センサー
５  保持材
６  演算処理回路
７  表示器
【図１】
2004157070.tif 000003
(57)【要約】      （修正有）【課題】複数のマイクロレンズを適宜配設して組み合わせ集合体として合成することにより一個相当のレンズとして光学的に作用するようにしたものを、同一レンズ系内に複数組互いに混在させ、それぞれのマイクロレンズには光線の透過もしくは不透過を電気的もしくは物理化学的に選択制御できる機構をそれぞれ付随させ、これらを適宜制御作動させることにより、複数組のレンズ機能を選択的に作動させ、レンズに可動部分を用いることなく焦点や屈折率の異なる複数のレンズ系を自在に選択する遠近両用眼鏡や、拡大鏡あるいはプロジェクター等を実現する。【解決手段】レンズ系１は、構成要素である複数のマイクロレンズ２及び付随する制御部３集合より構成され、これらの選択的組み合わせで複数のレンズ相当の効果を発揮する。【選択図】          図１
2004157487.tif 000002
【特許請求の範囲】
【請求項１】
複数のマイクロレンズを適宜配設して組み合わせ集合体として合成することにより一個相当のレンズとして光学的に作用するようにしたものを、同一レンズ系内に複数組互いに混在させ、それぞれのマイクロレンズには光線の透過もしくは不透過を電気的もしくは物理化学的に選択制御できる機構をそれぞれ付随させ、これらを適宜制御作動させることにより、複数組のレンズ機能を選択的に作動させ得る機構より成るマイクロレンズ集合体。
【発明の詳細な説明】
【０００１】
【産業上の利用分野】
本発明は、レンズに可動部分を用いることなくその働きを制御し、その機能を変化させることにより光学系に新しい多くの応用機器を可能とする。例えば焦点や屈折率の異なる複数のレンズ系を自在に選択する眼鏡や、拡大鏡あるいはプロジェクター等に応用できる。
【０００２】
【従来の技術】
従来、レンズ系の焦点距離や屈折率の変化には、例えばズームレンズのごとく複数の固定焦点や屈折率のレンズを組み合わせこれらの相対位置を機械的に変化させたり、顕微鏡や望遠鏡のようにように対物側あるいは接眼側のレンズを取り換えたりせねばならず、一つのレンズ系で複数の焦点距離や屈折率を選択して変化させられるものはほとんど無かった。
【０００３】
【発明が解決しようとする課題】
従来、前項の例以外にも、例えば通常眼鏡のレンズは焦点や屈折率の変化はできないため、遠距離と近距離を一個の眼鏡で視分けることは、老眼鏡を必要とする高齢者等には不便であった。このため一般的には遠近両用眼鏡と称して眼鏡の上下にそれぞれ焦点距離や屈折率の異なるレンズを設け目の視線方向でこれらの使い分けをしたり、それぞれの固定焦点や屈折率のレンズを持つ２種の眼鏡を用途ごとに取り換えて使用していた。前者の方法では手許の近距離を見るのが良くても階段を下りる場合や足許をみる際には焦点が合わず着用者に不安感を与え慣れるのに困難を伴うことが多かった。後者の方法も含めていずれの場合も大変使い勝手が悪いだけでなく、目に対する負荷も大きく高価につく欠点があった。
【０００４】
【課題を解決するための手段】
本発明は、複数組の固定焦点あるいは固定屈折率のマイクロレンズの集合により合成されるレンズ系をその機能を選択的に作動させ、結果として例えば遠近二焦点の切り換えを駆動部無しで一レンズ系で実現しようとするものである。従って例えば、遠近両用の眼鏡は同一レンズ内で同一視野内に遠距離用及び近距離用に予め設定されたそれぞれの合成レンズを形成するマイクロレンズを設け、これ等を交互に作動させるよう制御して両者の切り替えを実現する。この切り替え動作は例えばそれぞれのマイクロレンズに付随して設けられる液晶の連動した開閉操作により得られる。これにより遠近それぞれのレンズ系は交互に光線を透過させられるようになり、機能の切り替えが可能となる。
【０００５】
【発明実施の形態】
この目的のため先述のように、複数の固定焦点あるいは固定屈折率を光学的に合成しそれぞれが異なるレンズとして等価な作用をするための要素であるマイクロレンズを同一光学レンズ系内に適宜配設し、かつ個々のマイクロレンズにはそれぞれの働きを電気的あるいは物理化学的に制御する機構を設けて構成する。この機構により複数の合成レンズ系はその制御により適宜切り替えられたり、相互補完的に作動可能となり、当初の述べた課題が解決されるだけでなく新しい光学用途にも活用可能となる。
【０００６】
【実施例】
以下、本発明を図１及び図２に示す実施例について説明する。同図において（１）はレンズ系、（２）はマイクロレンズ、（３）は制御部を示す。
【０００７】
一例として、図１に本発明の側断面概念図を図２に平面概念図を示す。レンズ系（１）は多数のマイクロレンズ（２）より構成され、それぞれには図１の下部に示すようにそれぞれ制御部（３）が付随する。このマイクロレンズ（２）は適宜組み合わせ集合体として異なる焦点や屈折率の得られる複数の合成レンズの機能要素として働くが、それぞれの合成レンズ用には図２のように斜線塗りつぶし部と非塗りつぶし部のようにレンズ系（１）内で適宜（本例では千鳥配列）区分配設される。ここにマイクロレンズ（１）の大きさは全レンズ系（１）に対する相対的な大きさが微小なレンズで、実効上はその径もしくは幅が１ミリメートル以下である。また、制御部（３）は例えば液晶でこの駆動は電気力の印加制御（図示せず）で行われる。ここに、応用例として遠近両用眼鏡のレンズで説明するとレンズ系（１）の大きさは通常の眼鏡のレンズ並で両眼用に２枚使用される。それぞれには前述のように遠距離用と近距離用に２組の合成レンズを構成するためのマイクロレンズ（２）が図２のように制御用の液晶（３）とともに交互に配設される。今、遠距離用を塗りつぶしで、近距離用を非塗りつぶしで表すとき、塗りつぶし部の液晶には光を通さない（閉）で非塗りつぶし部の液晶には光を通す（開）ように制御すると光線は非塗りつぶし部のみを通過し、従ってこれに対応するマイクロレンズ（２）すなわち近距離用に合成レンズとして作用する物のみ要素レンズとして有効に作動する。この結果この眼鏡は近距離用として働く。これと逆の作用するように制御すれば遠距離用として有効になることは原理的に同様で  一個の眼鏡をかけたままで簡便に遠近の切り替えが可能となる。
【０００８】
【発明の効果】
以上説明したように、本発明によれば比較的簡易な装置で機械的な可動部や取り換えなしで複数のレンズ機能が一個のレンズ系に集約され大いに利便性の向上が期待できる。また、本例以外にこの機能は既述のような多くの光学系全般に応用できるが、この制御方法には前述の液晶の他に、磁場や静電気で光の透過を開閉できる粉体や液体、熱や化学反応で透明度の変化する物質あるいはピエゾ効果を有する物質等を用いることも可能である。また、前述の合成レンズ系にはそれぞれ着色することもでき、例えば色の変化するレンズを用いたサングラス等への応用も可能である。なお、マイクロレンズの配設や合成レンズの数や種類は目的用途に対応して自由に設定できることは当然である。
【図面の簡単な説明】
【図１】本発明に関わる側断面概念図を
【図２】に平面概念図を示す。
【符号の説明】
（１）  レンズ系
（２）  マイクロレンズ
（３）  制御部
【図１】
2004157487.tif 000003
【図２】
2004157487.tif 000004
(57)【要約】      （修正有）【課題】撮影時において、さまざまな条件下で発生しうるカメラブレ、及び手ブレを防止する方法と装置の開発により、撮影当事者の撮影時の失敗を減少させ、目的とする画像の成功率を高める。【解決手段】カメラ本体の底部に、回転盤を備えた装置を取り付ける事により、回転盤の回転により求心力が発生し、カメラブレ、手ブレを防止させる。【選択図】  図１
2004157488.tif 000002
【特許請求の範囲】
【請求項１】
撮影時において、三脚を使用せずにカメラブレ、手ブレを防止する方法。
【請求項２】
請求項１に基くカメラブレ、手ブレを防止する装置の開発。
【発明の詳細な説明】
【０００１】
【発明の属する技術分野】
本発明は、撮影時におけるカメラブレ、手ブレを防止するためにカメラ本体に求心力を働かせる装置を装着して防止する方法、及び装置の開発に関するものである。
【０００２】
【従来の技術】
撮影時におけるカメラブレ、手ブレの発生原因は主として操作する人の操作ミスによる事が多い。シャッターチャンスの際にシャッター以外に無意識にカメラも同時に動かすことによりブレが生じる。
【０００３】
また光量不足の暗い場所では露出時間を長くするためにシャッタースピードを落とす事によりブレが生じる。
【０００４】
更に、長焦点のレンズを使用した場合はなお一層のブレは多くなる。
【０００５】
これらの問題を解決する従来の方法は、三脚を使用する事でブレを防いで来たが、撮影時においては狭い場所や制限をうけ三脚を使用出来ない事もありこの場合のブレ防止は解決出来ていない。
【０００６】
【発明が解決しようとする課題】
本発明は、従来技術では物理的に解決出来ないブレ防止、即ち撮影時において、三脚を使用出来ないような狭い場所での撮影、また三脚使用の制限を受けるような条件下での撮影と、個々の人間が持っている生理的特性によるブレ防止の双方を解決すべく考案されたものである。
【０００７】
【課題を解決するための手段】
即ち、本発明は、カメラ本体の底部に回転し得る円盤を取付け、その回転により求心力を働かせカメラの微動を防止する事が出来る。従って、請求項１による求心力利用のカメラブレ、手ブレの防止方法が理論上確立された。
【０００８】
次にカメラブレ、手ブレ防止装置について図面１に示す。
本装置は、▲１▼カメラに取り付ける本体、▲２▼円盤▲３▼円盤を回転させるモーター▲４▼モーター駆動用の電池▲５▼本装置本体をカメラ底部へ取り付けるネジの５つのパーツより構成されている。本装置が請求項１を具現化させるための装置として開発された。
【０００９】
【実施例】
本装置を一眼レフカメラに取付け、標準レンズを使用して昼間の明るい場所、夜間の比較的明るい場所、暗い場所とそれぞれ撮影を行った。
【００１０】
次に、本装置を一眼レフカメラに取付け、長焦点レンズを使用して昼間の明るい場所、夜間の比較的明るい場所、暗い場所とそれぞれ撮影を行った。
【００１１】
更に、本装置を軽量のコンパクトカメラに取り付け、同条件での撮影を行った。
【００１２】
【発明の効果】
実施例、（０００８−００１１）の効果を検証すると、本装置の円盤を回転させる事により、求心力の効果が発揮されたのか、カメラ本体の底部に重みが集積されたかのごとく安定した状態でシャッターを切る事が出来た。軽量のコンパクトカメラにおいては、むしろ防止装置本体の重みと相俟って予想以上の効果が実証された。将来カメラが軽量化されればされる程カメラブレ、手ブレ防止に役立つ装置として期待出来る。
【図１】
2004157488.tif 000003
【手続補正書】
【提出日】平成15年2月5日(2003.2.5)
【手続補正１】
【補正対象書類名】明細書
【補正対象項目名】図面の簡単な説明
【補正方法】追加
【補正の内容】
【図面の簡単な説明】
【図１】本装置の平面図である。
【図２】本装置の側面図である。
【図３】本装置の立体図である。
【符号の説明】図面  １
▲１▼  本体
▲２▼  円盤
▲３▼  モーター
▲４▼  電池
▲５▼  カメラ止めネジ


【手続補正２】
【補正対象書類名】図面
【補正対象項目名】全図
【補正方法】変更
【補正の内容】
【図１】
2004157488.tif 000004
【図２】
2004157488.tif 000005
【図３】
2004157488.tif 000006
(57)【要約】【課題】本サキソフォンマウスピース用音色調整リングはサキソフォーン用樹脂製マウスピースに、着脱自在に取り付け可能とし、容易な着脱により曲に合せた音色の調整を可能とする。【解決手段】本音色調整リングはサキソフォン用樹脂製マウスピースの材質より比重が大きい材質で形成された金属製リング（１）をサキソフォン用樹脂製マウスピース（２）に着脱自在に取り付けでき、見ためにも抵抗感の無い形状としたものである。【選択図】図１
2004157486.tif 000002
【特許請求の範囲】
【請求項１】
樹脂製のサキソフォン用マウスピースの吹き口側と反対側の外周に着脱自在に取り付けられ、前記樹脂より比重が大きい材質で形成された金属製のサキソフォンマウスピース用音色調整リング。
【請求項２】
樹脂製のサキソフォン用マウスピースをサキソフォンのネックに差し込むものであり、前記樹脂製のサキソフォン用マウスピースの吹き口側と反対側の外周に前記樹脂より比重が大きい材質で形成された金属製のサキソフォンマウスピース用音色調整リングを取り付け、又は、取り外して、前記樹脂製のサキソフォン用マウスピースを前記サキソフォンのネックに差し込み、サキソフォンの音色を調整することを特徴とするサキソフォンの音色調整方法。
【発明の詳細な説明】
【０００１】
【発明の属する技術分野】
この発明は木管楽器であるサキソフォンの樹脂製マウスピースに着脱自在に取り付けて音色を調整するサキソフォンマウスピース用音色調整リングと音色調整方法に関するものである。
【０００２】
【従来の技術】
サキソフォンのネック部や本体部に装着可能な音響調整具や音響調整具を装着することを目的としてマウスピースと音響調整具が一対になるように作られた専用の金属製マウスピース、あるいは恒久的に金属性リングがはめ込まれた樹脂製マウスピースは存在する。
【０００３】
【発明が解決しようとする課題】
上記のような装着可能な音響調整具は、効果は感じられるものの楽器自体の本来の形状を損ない見ためにも抵抗感を感ずるものであり、その他の方法で音色の変化を求めるならば、リガチャー、サムフック、サムレスト等の交換やマウスピース自体の交換をするのが一般的であった。
【０００４】
樹脂製マウスピースは扱いやすく暖かみのある素朴な音色であり、初級者から上級者、プロまで幅広く使用されており、金属製マウスピースは音量があり特有の華やかな音色ではあるが一般的には初級者には扱いが難しいとされている。
【０００５】
そこで、本発明のサキソフォンマウスピース用音色調整リングは、サキソフォンの樹脂製マウスピースに着脱自在とし、楽器自体の本来の形状を損なわず見ためにも抵抗感を感ずることもなく、樹脂製マウスピースの長所を生かしつつ金属製マウスピースの長所をも得ることが可能であり、本音色調整リングの材質をアルミ、真鍮、銅合金、洋白等比重の異なる材質を用いることにより微妙な音色の調整を可能とし、着脱により曲に合せた音色の調整を可能とすることを目的としてなされたものである。
【０００６】
【課題を解決するための手段】
本発明のサキソフォンマウスピース用音色調整リングは、樹脂より比重の大きい材質で形成された金属製の本音色調整リング（１）の内周（１ａ）を、サキソフォン用樹脂製マウスピース（２）の吹き口側と反対側の外周（２ａ）に形状を対応させ着脱可能に取り付け、見ためにも抵抗感の無い形状としたものである。
【０００７】
【発明の実施の形態】
以下、本発明のサキソフォンマウスピース用音色調整リングの実施の形態を図面に基ずいて説明する。
【０００８】
図１、図２はこの発明のサキソフォンマウスピース用音色調整リング（１）の実施の形態を示しており、内周（１ａ）をサキソフォン用樹脂製マウスピース（２）の吹き口側と反対側の外周（２ａ）の形状に対応させた、金属性のリングである。
【０００９】
図３は、本発明の本音色調整リング（１）をサキソフォン用樹脂製マウスピース（２）に装着した実施の形態を示したものである。
【００１０】
図４は、本発明のサキソフォンマウスピース用音色調整リング（１）を装着したサキソフォン用樹脂製マウスピース（２）をネック（３）に差し込んだ実施の形態を示したものである。
【００１１】
【発明の効果】
本発明のサキソフォンマウスピース用音色調整リングは、演奏者の使い慣れた樹脂製マウスピースに着脱自在とし、取り付け、又は、取はずして曲に合せた音色の調整を可能とする。
【図面の簡単な説明】
【図１】本発明のサキソフォンマウスピース用音色調整リングの斜視図である。
【図２】本発明のサキソフォンマウスピース用音色調整リングの断面図である。
【図３】本発明のサキソフォンマウスピース用音色調整リング（１）を樹脂製マウスピ
ース（２）の吹き口と反対側（２ａ）に装着した状態を示す図である。
【図４】本発明のサキソフォンマウスピース用音色調整リング（１）をサキソフォン用樹脂製マウスピース（２）の吹き口と反対側（２ａ）に装着し、ネック（３）
に差し込んだ状態を示す図である。
【符号の説明】
１  サキソフォンマウスピース用音色調整リング
２  サキソフォン用樹脂製マウスピース
３  ネック
【図１】
2004157486.tif 000003
【図２】
2004157486.tif 000004
【図３】
2004157486.tif 000005
【図４】
2004157486.tif 000006
(57)【要約】      （修正有）【課題】ソフトにより文字文章を暗号化し、暗号化した文字文章を復号解読することで平文に戻すことができ、安価でより強固なセキュリティを確保すること。【解決手段】テキスト文章の、文字コードと文字の配列を変化させることにより暗号化し、文字コードと文字の配列を元に戻すことにより復号し平文にする。さらに、テキスト文章の文字を数値に変換し、任意の数値と排他的論理和演算を実行することにより、より強固なセキュリティを確保する。【選択図】図２
2004157490.tif 000002
【特許請求の範囲】
【請求項１】
テキスト文章において、文字コードと文字の配列をシフトすることにより文字、文章を暗号化し、文字のシフトした配列を元に戻すことにより復号する。さらに、テキスト文章の文字を数値化し、任意の数値と排他的論理和演算をすることによりを暗号化復号化する。
【発明の詳細な説明】
【０００１】
【発明に属する技術分野】
ＯＳはＷｉｎｄｏｗｓＸＰを用い、プログラム作成ソフトにＶｉｓｕａｌ  Ｂａｓｉｃ．ＮＥＴを使用した。
【０００２】
【従来の技術】
文章、文字の暗号化復号化し、確実なセキュリティを得るのに、大掛かりなハードウェアを必要とし、多額の経費を必要とした。
【０００３】
【発明が解決しようとする課題】
プログラムをインストールすることにより、文字、文章を暗号化、復号化により強固なセキュリティが保障される。
【０００４】
【課題を解決するための手段】
文字コードと文字の配列を変化させることにより暗号化する。文字コードと文字の配列を元に戻すことにより復号化する。文字を数値化し排他的論理和演算をする事で文章、文字の暗号化復号化する。
例えば
文字コードが０００１の文字がａ、文字コード００１０の文字がｂ、００１１の文字がｃとする。０１００の文字がｄとする。ａｂｃの文字は文字コードに１をプラスすることにより、ａｂｃはｂｃｄに変換される。復号するには１マイナスすれば良い。シフトする数値は任意数値で良い。
排他的論理和演算をする事とは、例えば、入力する任意の数値を０１０１とする。文字ａの文字コードは０００１、文字ｂの文字コード００１０、ｃの文字コードは００１１、ｄの文字コードは０１００とする。
排他的論理演算をすれば、文字ａは０１００、文字ｂは０１１１、文字ｃは０１１０、文字ｄは０００１に変換される。
結果は文章、及び文字は意味の分からない数字のられつとなり、暗号化される。復号する時はもう一度任意の数値０１０１と排他的論理和演算をする。文字ａは０１００ＥＯＲ０１０１＝０００１、文字ｂは０１１１ＥＯＲ０１０１＝００１０、文字ｃは０１１０ＥＯＲ０１０１＝００１１、文字ｄは０００１ＥＯＲ０１０１＝０１００となり、元の数値が復元される。復元された数値から、元の文字を検索することで、復号化が可能になる。
文字を数値に変換し任意の入力数値と排他的論理和演算を実行することにより、さらに強固なセキュリティが保障される。
【０００５】
【発明の実施形態】
文字を直接入力するか、ワープロソフト、テキストエディタで作った文章、文字をコピー貼り付け操作により文章文字を入力することができる。文字、文章はメニューコマンド等をクリックすることにより暗号化する。メニューコマンド等をクリックすることにより、暗号化した文字を復号する。
メニューコマンド等クリックすることにより、テキスト文章を暗号化保存する。
【０００６】
【実施例】
普通の文章          「今日は晴れ」
暗号化した文章  「困乳ば棲ろ」
「−２９２２２−２７７７５−３２０７４−２８４６９−３２１１１」
復号した文章    「今日は晴れ」
【０００７】
【発明の効果】
（１）通信ネットワークに対する脅威として、盗み見、改ざん、なりすましの対策となり、セキュリティが強化される。
（２）共通かぎ暗号方式，公開かぎ暗号方式として使用できる。
（３）メニュー項目をクリックするだけで、テキスト文章が暗号化さる。
メニュー項目をクリックするだけでテキスト文章が復号化される。
（４）数字によるパスワードを設定することにより複雑に暗号化され、より高度のセキュリティが保証される。
（５）暗号化されたテキスト文章は、添付ファイルとしてまたメーラーそのままコピー、貼り付けを行う事により、メーラーでの送信、受信者は暗号化復号化ソフトを使用することにより暗号化テキスト文章、文字の復号解読が可能になる。
（６）ホームページでの暗号化されたテキスト文章文字の公開が可能である。
コピー、貼り付け操作しメニュー項目をクリックする事により復号する。
（７）暗号化復号化することによりメモリ容量の増減はない。
【図面の簡単な説明】
【図１】発明に係わる最初のパソコン画面の表示図である。
【図２】発明に係わる画面のメニュー表示図である。
【図１】
2004157490.tif 000003
【図２】
2004157490.tif 000004